(57)【要約】【課題】外部サービスからコンテンツ情報等を取得する際におけるユーザの利便性を向上可能な、遠隔操作装置、遠隔操作システム、遠隔操作装置による情報処理方法およびプログラムを提供する。【解決手段】表示パネル１０１ａと、表示パネルに対する接触操作を検出する操作検出部と、接触操作に応じてテレビ受像機１０を遠隔操作するための遠隔操作部と、表示パネルに表示される選択項目をユーザＵに選択させる項目選択部と、選択項目に対する接触操作の継続時間ｔを所定の閾値ｔｈと比較する接触操作判定部と、継続時間が閾値未満である場合に、選択項目の詳細情報をテレビ受像機から取得する詳細情報取得部と、継続時間が閾値以上である場合に、選択項目を検索条件として選択項目の関連情報を外部サービスから取得する関連情報取得部と、取得した詳細情報または関連情報の表示を表示パネル上で制御する表示制御部を備える。【選択図】図２
2011114405.tif 000002
【特許請求の範囲】
【請求項１】
表示パネルと、
前記表示パネルに対する接触操作を検出する操作検出部と、
前記接触操作に応じて電子機器を遠隔操作するための遠隔操作部と、
前記表示パネルに表示される選択項目をユーザに選択させる項目選択部と、
前記選択項目に対する接触操作の継続時間を所定の閾値と比較する接触操作判定部と、
前記継続時間が閾値未満である場合に、前記選択項目の詳細情報を前記電子機器から取得する詳細情報取得部と、
前記継続時間が閾値以上である場合に、前記選択項目を検索条件として前記選択項目の関連情報を外部サービスから取得する関連情報取得部と、
前記取得した詳細情報または関連情報の表示を前記表示パネル上で制御する表示制御部と、
を備える、遠隔操作装置。
【請求項２】
前記関連情報取得部は、前記選択項目に対する接触操作が検出された時点で、前記選択項目を検索条件とする検索処理の開始を前記外部サービスに要求する、請求項１に記載の遠隔操作装置。
【請求項３】
前記表示制御部は、前記継続時間が閾値に到達した時点で前記関連情報が前記外部サービスから取得されていない場合に、検索処理中を示す識別情報の表示を制御し、前記関連情報が前記外部サービスから取得された時点で、前記取得した関連情報の表示を制御する、請求項２に記載の遠隔操作装置。
【請求項４】
前記関連情報取得部は、前記継続時間が閾値未満である場合に、前記検索処理の中止を外部サービスに要求する、請求項２または３に記載の遠隔操作装置。
【請求項５】
前記関連情報取得部は、前記継続時間が閾値未満である場合に、非接触操作が検出された後に前記外部サービスから取得した関連情報を、破棄または一時的に保存する、請求項２または３に記載の遠隔操作装置。
【請求項６】
遠隔操作装置と、前記遠隔操作装置により遠隔操作される電子機器を有し、
前記遠隔操作装置は、
表示パネルと、
前記表示パネルに対する接触操作を検出する操作検出部と、
前記接触操作に応じて前記電子機器を遠隔操作するための遠隔操作部と、
前記表示パネルに表示される選択項目をユーザに選択させる項目選択部と、
前記選択項目に対する接触操作の継続時間を所定の閾値と比較する接触操作判定部と、
前記継続時間が閾値未満である場合に、前記選択項目の詳細情報を前記電子機器から取得する詳細情報取得部と、
前記継続時間が閾値以上である場合に、前記選択項目を検索条件として前記選択項目の関連情報を外部サービスから取得する関連情報取得部と、
前記取得した詳細情報または関連情報の表示を前記表示パネル上で制御する表示制御部と、
を備える、遠隔操作システム。
【請求項７】
表示パネルに表示される選択項目をユーザに選択させるステップと、
前記選択項目に対する接触操作の継続時間を所定の閾値と比較するステップと、
前記継続時間が閾値未満である場合に、前記選択項目の詳細情報を電子機器から取得し、前記継続時間が閾値以上である場合に、前記選択項目を検索条件として前記選択項目の関連情報を外部サービスから取得するステップと、
前記取得した詳細情報または関連情報の表示を前記表示パネル上で制御するステップと、
を含む、遠隔操作装置による情報処理方法。
【請求項８】
表示パネルに表示される選択項目をユーザに選択させるステップと、
前記選択項目に対する接触操作の継続時間を所定の閾値と比較するステップと、
前記継続時間が閾値未満である場合に、前記選択項目の詳細情報を電子機器から取得し、前記継続時間が閾値以上である場合に、前記選択項目を検索条件として前記選択項目の関連情報を外部サービスから取得するステップと、
前記取得した詳細情報または関連情報の表示を前記表示パネル上で制御するステップと、
を含む、遠隔操作装置による情報処理方法をコンピュータに実行させるためのプログラム。
【発明の詳細な説明】
【技術分野】
【０００１】
本発明は、遠隔操作装置、遠隔操作システム、遠隔操作装置による情報処理方法およびプログラムに関する。
【背景技術】
【０００２】
近年、テレビ受像装置、ビデオ再生装置等の電子機器を遠隔操作するために、タッチパネルディスプレイを搭載した遠隔操作装置が普及しつつある。遠隔操作装置は、タッチパネルに対するユーザ操作に応じて、コンテンツ情報等をテレビ受像装置または外部サービスから取得して表示する。
【発明の概要】
【発明が解決しようとする課題】
【０００３】
ところで、コンテンツ情報等をテレビ受像装置から取得する際、ユーザは、表示パネル上で所望の選択項目を指定することで、選択項目に対応するコンテンツ情報等を閲覧することができる。しかし、コンテンツ情報等を外部サービスから取得する際、ユーザは、所望の選択項目を検索条件として指定するとともに、外部サービスからの取得を指定しなければならない。このため、ユーザは、外部サービスからコンテンツ情報等を取得する際の操作を煩雑に感じる場合があった。
【０００４】
また、通常、外部サービスからコンテンツ情報等を取得する際には、テレビ受像装置から取得する際に比して、処理応答が遅くなってしまう。このため、ユーザは、外部サービスからコンテンツ情報等を取得する際の処理応答に不満を感じる場合があった。
【０００５】
そこで、本発明は、外部サービスからコンテンツ情報等を取得する際におけるユーザの利便性を向上可能な、遠隔操作装置、遠隔操作システム、遠隔操作装置による情報処理方法およびプログラムを提供しようとするものである。
【課題を解決するための手段】
【０００６】
本発明の第１の観点によれば、表示パネルと、表示パネルに対する接触操作を検出する操作検出部と、接触操作に応じて電子機器を遠隔操作するための遠隔操作部と、表示パネルに表示される選択項目をユーザに選択させる項目選択部と、選択項目に対する接触操作の継続時間を所定の閾値と比較する接触操作判定部と、継続時間が閾値未満である場合に、選択項目の詳細情報を電子機器から取得する詳細情報取得部と、継続時間が閾値以上である場合に、選択項目を検索条件として選択項目の関連情報を外部サービスから取得する関連情報取得部と、取得した詳細情報または関連情報の表示を表示パネル上で制御する表示制御部とを備える、遠隔操作装置が提供される。
【０００７】
かかる構成によれば、遠隔操作装置は、表示パネル上で選択項目に対する接触操作を検出すると、接触操作の継続時間を所定の閾値と比較し、継続時間に応じて選択項目に関する情報を取得して表示する。ここで、遠隔操作装置は、継続時間が閾値未満である場合に、選択項目の詳細情報を電子機器から取得し、継続時間が閾値以上である場合に、選択項目を検索条件として選択項目の関連情報を外部サービスから取得する。これにより、ユーザは、外部サービスからの取得を指定する代わりに、接触操作の継続時間を調節することで、選択項目の関連情報を外部サービスから取得して閲覧することができる。
【０００８】
上記関連情報取得部は、選択項目に対する接触操作が検出された時点で、選択項目を検索条件とする検索処理の開始を外部サービスに要求してもよい。
【０００９】
上記表示制御部は、継続時間が閾値に到達した時点で関連情報が外部サービスから取得されていない場合に、検索処理中を示す識別情報の表示を制御し、関連情報が外部サービスから取得された時点で、取得した関連情報の表示を制御してもよい。
【００１０】
上記関連情報取得部は、継続時間が閾値未満である場合に、検索処理の中止を外部サービスに要求してもよい。
【００１１】
上記関連情報取得部は、継続時間が閾値未満である場合に、非接触操作が検出された後に外部サービスから取得した関連情報を、破棄または一時的に保存してもよい。
【００１２】
また、本発明の第２の観点によれば、上記遠隔操作装置と、遠隔操作装置により遠隔操作される電子機器を有する遠隔操作システムが提供される。
【００１３】
また、本発明の第３の観点によれば、表示パネルに表示される選択項目をユーザに選択させるステップと、選択項目に対する接触操作の継続時間を所定の閾値と比較するステップと、継続時間が閾値未満である場合に、選択項目の詳細情報を電子機器から取得し、継続時間が閾値以上である場合に、選択項目を検索条件として選択項目の関連情報を外部サービスから取得するステップと、取得した詳細情報または関連情報の表示を表示パネル上で制御するステップとを含む、上記遠隔操作装置による情報処理方法が提供される。
【００１４】
また、本発明の第４の観点によれば、上記情報処理方法をコンピュータに実行させるためのプログラムが提供される。ここで、プログラムは、コンピュータ読取り可能な記録媒体を用いて提供されてもよく、通信手段を介して提供されてもよい。
【発明の効果】
【００１５】
以上説明したように本発明によれば、外部サービスからコンテンツ情報等を取得する際におけるユーザの利便性を向上可能な、遠隔操作装置、遠隔操作システム、遠隔操作装置による情報処理方法およびプログラムを提供することができる。
【図面の簡単な説明】
【００１６】
【図１】本発明の実施形態に係る遠隔操作システムの構成を示す図である。
【図２】本発明の実施形態に係るコマンダの概要を示す図である。
【図３】コマンダの主要な構成を示すブロック図である。
【図４】タップ操作およびロングタップ操作を説明する図である。
【図５】コマンダの動作例１を示すシーケンス図である。
【図６】コマンダの動作例２を示すシーケンス図である。
【図７】コマンダの動作例３を示すシーケンス図である。
【図８】コマンダの動作例４を示すシーケンス図である。
【発明を実施するための形態】
【００１７】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００１８】
［１．遠隔操作システムの構成］
まず、図１を参照しながら、本発明の実施形態に係る遠隔操作システムの構成について説明する。図１に示すように、遠隔操作システムは、遠隔操作装置の一例であるコマンダ１００、テレビ受像装置１０、および外部サービス２０で構成される。
【００１９】
コマンダ１００は、テレビ受像装置１０の専用コマンダ、汎用コマンダ、コマンダ機能を有する携帯電話やＰＤＡ等の情報処理装置であり、タッチパネルディスプレイ１０１を有する。テレビ受像装置１０は、コマンダ１００を通じて遠隔操作される電子機器の一例である。外部サービス２０は、ネットワークＮＷ上で各種サービスを提供するＷＥＢサーバ等であり、１以上の外部サービスからなる。
【００２０】
コマンダ１００は、有線または無線のネットワークＮＷを介して、またはネットワークＮＷを介さずにテレビ受像装置１０との間で双方向通信を行う。また、コマンダ１００は、有線または無線のネットワークＮＷを介して、外部サービス２０との間で双方向通信を行う。
【００２１】
テレビ受像装置１０は、コンテンツの情報（コンテンツ情報）および詳細情報を管理し、外部サービス２０は、コンテンツの関連情報を管理している。コマンダ１００は、テレビ受像装置１０からコンテンツ情報を取得して表示し、ユーザＵの指示に応じて、コンテンツの詳細情報をテレビ受像装置１０から取得し、または関連情報を外部サービス２０から取得し、タッチパネルディスプレイ１０１に表示する。
【００２２】
［２．コマンダ１００の概要］
つぎに、図２を参照しながら、本発明の実施形態に係るコマンダ１００の概要について説明する。図２に示すように、コマンダ１００は、表示パネル１０１ａに対するユーザＵの接触操作の状況に応じて、コンテンツの詳細情報をテレビ受像装置１０から取得し、または関連情報を外部サービス２０から取得し、表示パネル１０１ａに表示する。
【００２３】
状態ＳＴ２Ａに示すように、表示パネル１０１ａには、テレビ受像装置１０から取得したコンテンツ情報が表示されている。なお、コンテンツ情報は、テレビ受像装置１０に表示されているコンテンツの情報でもよく、他のコンテンツの情報でもよい。例えば、状態ＳＴ２Ａでは、コンテンツのタイトルＩ１、イメージＩ２、再生可能日Ｉ３、再生時間Ｉ４、カテゴリＩ５、出演者Ｉ６が表示されている。また、表示パネル１０１ａには、各種の操作ボタンが表示されている。
【００２４】
ユーザＵは、コンテンツのタイトルＩ１等、コンテンツ情報に含まれるいずれかの選択項目に対して接触操作を行う。選択項目には、選択可能であることを示す識別情報Ｍが付されている。例えば、状態ＳＴ２Ａでは、コンテンツのタイトルＩ１および出演者Ｉ６の欄にマークＭが付されている。
【００２５】
コマンダ１００は、選択項目に対する接触操作を検出すると、選択項目の詳細情報をテレビ受像装置１０から取得し、または選択項目の関連情報を外部サービス２０から取得し、表示パネル１０１ａに表示する。例えば、状態ＳＴ２Ａでは、選択項目：タイトルＩ１に対する接触操作が検出されている。
【００２６】
ここで、コマンダ１００は、接触操作を検出すると、接触操作の継続時間ｔを検出し、所定の閾値ｔｈと比較して接触操作を判定する。そして、コマンダ１００は、継続時間ｔが閾値ｔｈ未満である場合（タップ操作）に、選択項目の詳細情報をテレビ受像装置１０から取得し、継続時間ｔが閾値ｔｈ以上である場合（ロングタップ操作）に、選択項目を検索条件として選択項目の関連情報を外部サービス２０から取得する。なお、タップ操作およびロングタップ操作については後述する。
【００２７】
例えば、図２では、タップ操作が判定された場合、状態ＳＴ２Ｂに示すように、選択項目：タイトルＩ１に対応して、コンテンツ自体の詳細情報Ｉ８が表示されている。なお、選択項目：出演者Ｉ６であれば、出演者の詳細情報が表示される。
【００２８】
なお、詳細情報は、テレビ受像装置１０および／またはコマンダ１００自体から取得されてもよい。また、詳細情報は、テレビ受像装置１０が接続されている特定のネットワークサービスからテレビ受像装置１０を介して取得されてもよい。
【００２９】
一方、ロングタップ操作が判定された場合、状態ＳＴ２Ｃに示すように、選択項目の表示Ｉ９とともに、選択項目：タイトルＩ１に対応して、コンテンツ自体の関連情報Ｉ１０が表示されている。なお、選択項目：出演者Ｉ６であれば、出演者の関連情報が表示される。また、関連情報Ｉ１０の欄には、選択項目として選択可能であることを示すマークＭが付されている。ここで、いずれかの関連情報が選択されると、選択された関連情報に関連する他の関連情報が表示される。
【００３０】
これにより、ユーザＵは、外部サービス２０からの取得を指定する代わりに、接触操作の継続時間ｔを調節することで、選択項目の関連情報を外部サービス２０から取得して閲覧することができる。
【００３１】
また、コマンダ１００は、選択項目に対する接触操作を検出した時点で検索処理の開始を外部サービス２０に要求する。これにより、ユーザＵは、継続時間ｔが閾値ｔｈに到達した時点で検索処理の開始を要求する場合に比して、検索処理の結果を外部サービス２０から早く取得することができる。
【００３２】
［３．コマンダ１００の構成］
つぎに、図３を参照しながら、コマンダ１００の構成について説明する。図３に示すように、コマンダ１００は、タッチパネルディスプレイ１０１、制御部１０３、メモリ１０５、通信部１０７を含む。
【００３３】
タッチパネルディスプレイ１０１は、表示パネル１０１ａにタッチパネル１０１ｂ（操作検出部）を積層して構成される。表示パネル１０１ａとしては、液晶ディスプレイ（ＬＣＤ）等が利用される。タッチパネル１０１ｂとしては、抵抗膜方式、静電容量方式、超音波方式、赤外線方式等のパネルが利用される。
【００３４】
タッチパネル１０１ｂは、パネル面に対する指Ｐ、スタイラス等の接触状態を検出する。タッチパネル１０１ｂは、パネル面に指Ｐが接触した時点で接触信号を制御部１０３に供給し、パネル面から指Ｐが離れた時点で解除信号を制御部１０３に供給する。
【００３５】
また、タッチパネル１０１ｂは、タッチパネル１０１ｂに指Ｐが接触している間、接触位置に対応した座標信号を制御部１０３に供給する。ここで、座標信号は、タッチパネル１０１ｂに対する接触位置のＸ−Ｙ座標を表している。
【００３６】
制御部１０３は、ＣＰＵ、ＲＡＭ、ＲＯＭ等を含み、ＣＰＵは、ＲＡＭを作業メモリとして用いて、ＲＯＭに格納されているプログラムを実行し、コマンダ１００の各部を制御する。制御部１０３は、プログラムの実行により、遠隔操作部、項目選択部、接触操作判定部、詳細情報取得部、関連情報取得部、表示制御部として機能する。
【００３７】
メモリ１０５は、ＥＥＰＲＯＭ等の不揮発性メモリであり、表示データ、コマンド情報等を格納している。メモリ１０５は、後述するように、コンテンツ情報の詳細情報を格納していてもよく、外部サービス２０から取得された関連情報を格納してもよい。
【００３８】
通信部１０７は、ユーザＵによる操作入力に応じて、所定の操作コマンドをテレビ受像装置１０に送信する。また、通信部１０７は、コンテンツの情報や詳細情報の取得要求をテレビ受像装置１０に送信し、コンテンツの関連情報について検索処理の開始要求や中止要求を外部サービス２０に送信する。そして、通信部１０７は、コンテンツの情報および詳細情報をテレビ受像装置１０から受信し、関連情報を外部サービス２０から受信する。
【００３９】
制御部１０３は、タッチパネル１０１ｂから供給された座標信号をデコードして座標データを生成し、座標データおよび接触／解除信号に基づいて、コマンダ１００の各部を制御する。
【００４０】
制御部１０３は、ユーザＵによる操作入力に応じて、操作入力に応じたコマンド情報をメモリ１０５から読み出し、通信部１０７に供給する。通信部１０７は、コマンド情報に基づいて、所定の操作コマンドをテレビ受像装置１０に送信する。
【００４１】
制御部１０３は、メモリ１０５に記憶されているデータを読出してグラフィカル・ユーザ・インターフェイスＧＵＩ画面の表示データを生成し、表示データを表示パネル１０１ａに供給する。表示パネル１０１ａは、表示データに基づいてＧＵＩ画面を表示する。
【００４２】
制御部１０３は、通信部１０７を通じてテレビ受像装置１０から受信されたコンテンツ情報を表示パネル１０１ａに表示し、コンテンツ情報に含まれる選択項目に対する接触操作の入力をユーザＵに促す。制御部１０３は、選択項目に対する接触操作の継続時間ｔを検出し、所定の閾値ｔｈと比較することで、接触操作を判定する。
【００４３】
そして、継続時間ｔが閾値ｔｈ未満である場合に、制御部１０３は、選択項目の詳細情報を、通信部１０７を通じてテレビ受像装置１０から取得する。一方、継続時間ｔが閾値ｔｈ以上である場合に、制御部１０３は、選択項目を検索条件として選択項目の関連情報を、通信部１０７を介して外部サービス２０から取得する。そして、制御部１０３は、取得した詳細情報または関連情報を表示するように表示パネル１０１ａを制御する。
【００４４】
［４．コマンダ１００の動作］
つぎに、図４〜図８を参照しながら、コマンダ１００の動作について説明する。図４は、タップ操作およびロングタップ操作を説明する図である。図５〜図８は、コマンダ１００の動作例１〜４を各々に示すシーケンス図である。
【００４５】
図４には、表示パネル１０１ａに対する接触状態の時間変化が示されている。図４に示すように、制御部１０３は、表示パネル１０１ａに対する接触操作Ａ１（指等によるプレス）の検出から非接触操作Ａ２（指等のリリース）の検出に至るまでの継続時間ｔに応じて、接触操作がタップ操作またはロングタップ操作のいずれであるかを判定する。
【００４６】
つまり、接触操作の継続時間ｔが所定の閾値ｔｈ未満である場合（状態ＳＴ４Ａ）に、タップ操作として判定され、所定の閾値ｔｈ以上である場合（状態ＳＴ４Ｂ）に、ロングタップ操作として判定される。なお、接触操作の検出から非接触操作の検出に至るまでに、接触位置の変化量が所定の閾値を超えた場合、接触操作から非接触操作に遷移したと判定されてもよい。
【００４７】
つぎに、コマンダ１００の動作例１〜４について説明する。なお、動作例の間で重複する説明は省略する。
【００４８】
（動作例１）
図５に示す動作例１において、ユーザＵが選択項目に対する接触操作を行うと（ステップＳ１０１）、制御部１０３は、選択項目に対する接触操作を検出する（Ｓ１０３）。そして、コマンダ１００は、接触操作の継続時間ｔの検出、および接触操作の判定を開始する（Ｓ１０５）。
【００４９】
また、制御部１０３は、接触操作を検出すると、選択項目を検索条件とする検索処理の開始要求を通信部１０７を通じて外部サービス２０に送信する（Ｓ１０７）。外部サービス２０は、開始要求に応じて検索処理を行い（Ｓ１０９）、検索処理が完了すると、検索された関連情報をコマンダ１００に送信する（Ｓ１１１）。
【００５０】
ここで、動作例１では、制御部１０３は、ロングタップ操作を確認する前に関連情報が受信されており、関連情報が受信された後にロングタップ操作を確認している（Ｓ１１３）。このため、制御部１０３は、取得した関連情報を表示パネル１０１ａに表示させる（Ｓ１１５）。
【００５１】
（動作例２）
図６に示す動作例２では、コマンダ１００は、動作例１と同様に、接触操作を検出し、検索処理の開始要求を外部サービス２０に送信し、外部サービス２０は、検索処理を行う（Ｓ１２１〜Ｓ１２９）。
【００５２】
ここで、動作例２では、制御部１０３は、関連情報が受信される前にロングタップ操作を確認している（Ｓ１３１）。このため、制御部１０３は、ロングタップ操作を確認した時点で、「検索処理中」を示す識別情報を表示パネル１０１ａに表示させる（Ｓ１３３）。そして、制御部１０３は、ロングタップ操作を確認した後に関連情報が受信されると（Ｓ１３５）、取得した関連情報を表示パネル１０１ａに表示させる（Ｓ１３７）。
【００５３】
（動作例３）
図７に示す動作例３では、コマンダ１００は、動作例１と同様に、接触操作を検出し、検索処理の開始要求を外部サービス２０に送信し、外部サービス２０は、検索処理を行う（Ｓ１４１〜Ｓ１４９）。
【００５４】
ここで、動作例３では、関連情報が受信される前に、ユーザＵが選択項目に対する非接触操作（リリース操作）を行っている（Ｓ１５１）。そして、制御部１０３は、非接触操作を検出することで、タップ操作を確認している（Ｓ１５３、Ｓ１５５）。このため、制御部１０３は、タップ操作を確認した時点で、検索処理の中止要求を通信部１０７を通じて外部サービス２０に送信する（Ｓ１５７）。
【００５５】
つぎに、制御部１０３は、選択項目の詳細情報を取得するための取得要求を通信部１０７を通じてテレビ受像装置１０に送信する（Ｓ１５９）。テレビ受像装置１０は、取得要求に応じて、選択項目の詳細情報をコマンダ１００に送信する（Ｓ１６１）。そして、制御部１０３は、取得した詳細情報を表示パネル１０１ａに表示する（Ｓ１６３）。
【００５６】
（動作例４）
図８に示す動作例４では、コマンダ１００は、動作例１と同様に、接触操作を検出し、検索処理の開始要求を外部サービス２０に送信し、外部サービス２０は、検索処理を行う（Ｓ１７１〜Ｓ１７９）。
【００５７】
ここで、動作例４では、関連情報が受信される前に、ユーザＵが選択項目に対する非接触操作（リリース操作）を行っている（Ｓ１８１）。そして、制御部１０３は、非接触操作を検出することで、タップ操作を確認している（Ｓ１８３、Ｓ１８５）。このため、制御部１０３は、タップ操作を確認した時点で選択項目の詳細情報を取得するための取得要求を通信部１０７を通じてテレビ受像装置１０に送信する（Ｓ１８７）。テレビ受像装置１０は、取得要求に応じて、選択項目の詳細情報をコマンダ１００に送信する（Ｓ１８９）。そして、制御部１０３は、取得した詳細情報を表示パネル１０１ａに表示させる（Ｓ１９１）。
【００５８】
ここで、制御部１０３は、タップ操作を確認した後に、関連情報が外部サービス２０から受信されると（Ｓ１９３）、受信された関連情報を破棄またはメモリ１０５等に一時的に格納する（Ｓ１９５）。
【００５９】
［５．まとめ］
以上説明したように、本発明の実施形態によれば、コマンダ１００は、表示パネル１０１ａ上で選択項目に対する接触操作を検出すると、接触操作の継続時間ｔを所定の閾値ｔｈと比較し、継続時間ｔに応じて選択項目に関する情報を取得して表示する。ここで、コマンダ１００は、継続時間ｔが閾値ｔｈ未満である場合に、選択項目の詳細情報をテレビ受像装置１０から取得し、継続時間ｔが閾値ｔｈ以上である場合に、選択項目を検索条件として選択項目の関連情報を外部サービス２０から取得する。これにより、ユーザＵは、外部サービス２０からの取得を指定する代わりに、接触操作の継続時間ｔを調節することで、選択項目の関連情報を取得して閲覧することができる。
【００６０】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００６１】
１０    テレビ受像装置
２０    外部サービス
１００    コマンダ
１０１    タッチパネルディスプレイ
１０３    制御部
１０５    メモリ
１０７    通信部
【図１】
2011114405.tif 000003
【図２】
2011114405.tif 000004
【図３】
2011114405.tif 000005
【図４】
2011114405.tif 000006
【図５】
2011114405.tif 000007
【図６】
2011114405.tif 000008
【図７】
2011114405.tif 000009
【図８】
2011114405.tif 000010